(57)【要約】【課題】  空気調和機の遠隔操作装置の壁への取り付けのために、専用部品が不用で安価にでき、また、壁への取り付け取り外しが容易な空気調和機の遠隔操作装置を得る。【解決手段】  遠隔操作装置本体３の外殻を形成するケース５と、ケース５に設けられ壁２に固定された引掛け手段４に引掛け可能な引掛け穴１３と、を備え、引掛け穴１３は遠隔操作装置本体３の操作面３ａ側から見ることができる貫通した穴にした。また、引掛け穴１３を遠隔操作装置本体３の上部に設けた。【選択図】  図１
2005188777.tif 000002
【特許請求の範囲】
【請求項１】
遠隔操作装置本体の外殻を形成するケースと、前記ケースに設けられ壁に固定された引掛け手段に引掛け可能な引掛け穴と、を備え、前記引掛け穴は前記遠隔操作装置本体の操作面側から見ることができる貫通した穴であることを特徴とする空気調和機の遠隔操作装置。
【請求項２】
前記引掛け穴を前記遠隔操作装置本体の上部に設け、前記引掛け穴を前記引掛け手段へ引掛けた時に操作信号を送信する信号送信口が上方を向くようにしたことを特徴とする請求項１に記載の空気調和機の遠隔操作装置。
【請求項３】
前記引掛け穴の右横もしくは左横に操作信号を送信する信号送信部を設けたことを特徴とする請求項２に記載の空気調和機の遠隔操作装置。
【請求項４】
前記引掛け穴を左右へ広い形状に設けるとともに、前記引掛け穴の上辺のほぼ中央に前記引掛け手段が入る凹部を形成したことを特徴とする請求項１ないし請求項３のいずれか１項に記載の空気調和機の遠隔操作装置。
【請求項５】
遠隔操作装置本体の操作面側から見ることが可能な電池蓋と、前記電池蓋に設けられ壁に固定された引掛け手段に引掛け可能な引掛け穴と、を備え、前記引掛け穴は前記操作面側から見ることができる貫通した穴であることを特徴とする空気調和機の遠隔操作装置。
【請求項６】
前記電池蓋を前記遠隔操作装置本体の外殻を形成するケースにスライド可能に設け、前記引掛け穴を前記操作面側から見える位置と前記操作面側から見えない位置にスライド可能にしたことを特徴とする請求項５に記載の空気調和機の遠隔操作装置。
【発明の詳細な説明】
【技術分野】
【０００１】
この発明は、空気調和機の遠隔操作装置の壁掛け構造に関するものである。
【背景技術】
【０００２】
従来の空気調和機の遠隔操作装置においては、遠隔操作装置（リモートコントロール装置）を壁に掛けて取り付ける場合、壁に固定された壁掛け用フックなどの引掛け手段（吊り具）に掛ける吊り孔部を形成した専用の部品（吊り部材）を遠隔操作装置に装着して壁に引掛けていた。（例えば、特許文献１参照）。
また、遠隔操作装置（遠隔操作器本体）の背面に引掛けの穴を設けたものがある。（例えば、特許文献２参照。）
【０００３】
【特許文献１】特許第３１０６４６１号公報（第３頁、第１図−第３図）
【特許文献２】実開昭５９−１４４７５号公報（第３−４頁、第１図−第２図）
【発明の開示】
【発明が解決しようとする課題】
【０００４】
従来の空気調和機の遠隔操作装置では、壁に掛けて取付けるために壁掛け用フックなどの引掛け手段（吊り具）に掛ける専用部品（吊り部材）を用いなければならず、この場合は追加で専用部品が必要なことからコスト高になり、また、専用部品を装着する手間も必要であった。また、遠隔操作装置の背面に引掛けの穴を設けたものもあったが、穴が背面にあり遠隔操作装置の表側から引掛けの穴が見えないために、取り付け時及び取り外し時に引掛け手段と引掛けの穴との位置関係が見えないため、引掛け手段になかなか掛けられなかったり、遠隔操作装置を無理に引掛け手段から引張るなど取り付けや取り外しがやり難くいという課題があった。
【０００５】
この発明は、上記のよう課題を解決するためになされたもので、空気調和機の遠隔操作装置の壁への取り付けのために、専用部品が不用で安価にでき、また、壁への取り付け取り外しが容易な空気調和機の遠隔操作装置を得るものである。
【課題を解決するための手段】
【０００６】
この発明に係る空気調和機の遠隔操作装置は、遠隔操作装置本体の外殻を形成するケースと、前記ケースに設けられ壁に固定された引掛け手段に引掛け可能な引掛け穴と、を備え、前記引掛け穴は前記遠隔操作装置本体の操作面側から見ることができる貫通した穴にしたものである。
【０００７】
また、この発明に係る空気調和機の遠隔操作装置は、遠隔操作装置本体の操作面側から見ることが可能な電池蓋と、前記電池蓋に設けられ壁に固定された引掛け手段に引掛け可能な引掛け穴と、を備え、前記引掛け穴は前記操作面側から見ることができる貫通した穴にしたものである。
【発明の効果】
【０００８】
この発明に係る空気調和機の遠隔操作装置は、遠隔操作装置本体の外殻を形成するケースと、前記ケースに設けられ壁に固定された引掛け手段に引掛け可能な引掛け穴と、を備え、前記引掛け穴は前記遠隔操作装置本体の操作面側から見ることができる貫通した穴にしたので、空気調和機の遠隔操作装置の壁への取り付けのために、専用部品が不用で安価にでき、また、壁への取り付け取り外しが容易な空気調和機の遠隔操作装置を得られる効果がある。
【０００９】
また、この発明に係る空気調和機の遠隔操作装置は、遠隔操作装置本体の操作面側から見ることが可能な電池蓋と、前記電池蓋に設けられ壁に固定された引掛け手段に引掛け可能な引掛け穴と、を備え、前記引掛け穴は前記操作面側から見ることができる貫通した穴にしたので、空気調和機の遠隔操作装置の壁への取り付けのために、専用部品が不用で安価にでき、また、壁への取り付け取り外しが容易な空気調和機の遠隔操作装置を得られる効果がある。
【発明を実施するための最良の形態】
【００１０】
実施の形態１．
図１〜図７は、この発明を実施するための実施の形態１における空気調和機の遠隔操作装置を示す図で、図１は部屋に取り付けた状態の斜視図、図２は四面図で（ａ）は正面図，（ｂ）は右側面図，（ｃ）は背面図，（ｄ）は上面図、図３は壁に掛けて取り付けた状態の左側面図、図４は裏側ケースを取り外した状態の引掛け穴部分の要部背面図、図５は壁に掛けて取付けた状態の引掛け穴部分の要部正面図、図６は図５のＶＩ−ＶＩ線の拡大断面図、図７は図６に相等する引掛け手段が無い状態の拡大断面図である。図において、空気調和機１は冷房などの部屋の空調を行うもので、室内の壁２の上部に設置されている。
【００１１】
この空気調和機１の運転を操作する空気調和機の遠隔操作装置３（以下遠隔操作装置本体と称す）は、赤外線等の信号を送信して空気調和機１の運転と停止やタイマー運転（例えば所定時間後に自動的に運転を終了する等）等の操作を行うものであり、使用後の遠隔操作装置本体３の置き忘れ防止もあるが、特に空気調和機１のタイマ−運転時にタイマ−タイムアップ信号（設定時間に到達など）を空気調和機１に送信してきめ細かく空気調和機１の運転を制御するため、空気調和機１の近くの壁２などに固定された引掛け手段４である壁掛け用フック（以下壁掛け用フックと称す）に引掛けること等により取り付けるようにしている。
【００１２】
この壁掛け用フック４は、図に示すようにプラスチック材料よりなり、裏面に図示しない両面粘着テープを備えて壁２面に貼り付ける貼付部分４ａと、この貼付部分４ａから前方へ一体に突出した引掛部分４ｂからなるような一般的に家庭で使用される安価な市販のものでよく、また、この例に限らず金属材料からなる市販のものや釘等のように一般に壁２などに引掛けて吊り下げるために使用される汎用の市販の用具でもよい。ケース５は遠隔操作装置本体３の外郭を形成するもので、それぞれＰＳ等の樹脂部材で形成され、遠隔操作装置本体３の操作面３ａ側を形成する表側の表側ケース５ａと背面側の裏側ケース５ｂとに分割して嵌め合わせて構成している。
【００１３】
この表側ケース５ａには空気調和機１の運転状態を表示する液晶部品６や空気調和機１の運転内容を切り換える入／切のスイッチなど各種の操作スイッチ７などが設けられ、また、これら操作スイッチ７の機能等が印刷されている銘板８を貼り付けて、使用者が空気調和機１の運転を操作する操作面３ａが形成されている。配線基板９は、液晶部品６や操作スイッチ７等の各種の電子部品を搭載するもので、表側ケース５ａと裏側ケース５ｂに挟まれてケース４内に設けられている。電池１０は遠隔操作装置本体３の電源であり、遠隔操作装置本体３の下方に収納されて、着脱可能な電池蓋１１により覆われている。ネジ１２は表側ケース５ａと裏側ケース５ｂとを締結するもので、遠隔操作装置本体３の上部背面の左右２ヶ所と電池蓋１１内（図示せず）に設けている。
【００１４】
遠隔操作装置本体３上部の左右ほぼ中央部に貫通させて開けた引掛け穴１３は、壁掛け用フック４に引掛けて壁２に遠隔操作装置本体３を取り付けるための穴で、遠隔操作装置本体３のケース５の背面から表側まで貫通し、遠隔操作装置本体３の操作面３ａ側から見ることができる位置に貫通している。また、この引掛け穴１３の形状は正面から左右横方向に長いほぼ長方形の形状で、壁掛け用フック４の幅よりかなり左右へ広い形状にしていて、一例として穴の最短部分で左右幅を１５ｍｍ程度、上下高さを９ｍｍ程度あるように形成した。また、この例では引掛け穴１３を壁掛け用フック４に通しやすいように、引掛け穴１３の貫通部分をそれぞれ表側ケース５ａ及び裏側ケース５ｂから引掛け穴１３の周囲壁部分１３ａを一体に形成して突き合わせて形成しており、また、引掛け穴１３の表側及び裏側の入り口部分が広がるように傾斜面部１３ｂを形成している。
【００１５】
また、引掛け穴１３の上辺のほぼ中央部分にさらに一段凹ませた凹部１４を形成し、この凹部１４に壁掛け用フック４が入るようにして、この凹部１４により引掛け穴１３内で壁掛け用フック４に掛ける位置が容易に決まり、左右バランスよく遠隔操作装置本体３が引掛けられて傾かないようにしている。この凹部１４の寸法は適宜決めればよいが、一例として左右幅５ｍｍ程度で深さ１．５ｍｍ程度の丸みのある凹みとしたもので市販の多くの壁掛け用フック４に掛けることが可能であった。信号送信口１５は遠隔操作装置本体３の上面に開設して設けられ、遠隔操作装置本体３を上方に向けた状態で操作信号を空気調和機１に送信できるようにしている。信号送信部１６である赤外発光ダイオード（以下赤外発光ダイオードと称す）は赤外線による操作信号を送信するもので、信号送信口１５に信号を送信するその先端が覗くようにケース５内の引掛け穴１３の右横位置に配置し、赤外発光ダイオード１６のリード線が配線基板９に接続されて配線基板９に搭載されている。
【００１６】
次に動作について説明する。遠隔操作装置本体３を壁２に取り付ける場合、壁２面に取り付けてある市販等の壁掛け用フック４の引掛部分４ｂに、遠隔操作装置本体３の背面から前面へ貫通して開けられた操作面３ａ側から見える引掛け穴１３に通して引掛けるだけで、壁２面に掛けて取り付けることができる。そしてこの時、引掛け穴１３が貫通した穴なので、遠隔操作装置本体３の操作面３ａ側から壁掛け用フック４に掛ける引掛部分４ｂが見えて容易に引掛けることができ、また、掛けた時には引掛け穴１３から壁掛け用フック４の引掛部分４ｂが覗いているので、遠隔操作装置本体３を取り外すのも容易である。また、引掛け穴１３も遠隔操作装置本体３のケース５自体に直接開けているので、遠隔操作装置本体３を壁２に取り付けるために専用部品を設ける必要がなくなり、安価にできる効果もある。
【００１７】
このようにして、壁２などに取り付けた遠隔操作装置本体３は操作面３ａ側が操作できるように表側を向いて掛けられ、また、信号送信口１５が空気調和機１が設置された上方を向いて掛けられているので、壁２面に掛けた状態で操作面３ａの操作スイッチ７などを操作可能であり、また、所定時間後に運転を開始するなどのタイマー運転時においても、時間が経過して所定の時間となるタイマーカウントアップ時に遠隔操作装置本体３の信号送信口１５からタイマーカウントアップ信号が自動的に送信されるようにして、空気調和機１に送信することも可能にでき、きめ細かい空気調和機１の運転ができるようになる。
【００１８】
すなわち、空気調和機１側にもタイマ−（図示せず）を備えているが、遠隔操作装置本体３の信号送信量を少なくして送信機器を簡素化及び省エネ化するため、タイマー運転条件の信号としては例えば１０分単位程度の多めの概略でまるめた時間信号を送信するようにし、遠隔操作装置本体３からのタイマーカウントアップ信号を受信できなくても差し支えがないように空気調和機１は運転を行うが、タイマーカウントアップ信号を受信して設定した時間ピッタリに運転を自動的に操作できれば、少しではあるが余分に運転することもなく省エネな運転が可能になるわけである。このように、空気調和機の遠隔操作装置では遠隔操作装置本体３の置き忘れ防止に加え、遠隔操作装置本体３を壁２に掛けたまま操作できるようにして操作性をよくし、また、タイマー運転のような自動運転のためにも他の機器に比べ遠隔操作装置本体３を容易に、かつ、安価に壁２に掛けたり外したりできることの効果は大きい。
【００１９】
また、引掛け穴１３は略長方形状にして広く形成しているので、壁掛け用フック４の引掛部分４ｂに挿入しやすく、また横方向に長く形成しているので、さらに穴の左右どの位置からでも壁掛け用フック４の引掛部分４ｂに入れやすく、かつ、遠隔操作装置本体３の上下寸法が長くなり過ぎて遠隔操作装置本体３が大きくなり過ぎることがなく、また凹部１４で引掛け穴１３内の壁掛け用フック４の位置も決まるため容易に引掛けることができる訳である。また、赤外発光ダイオード１６の位置も引掛け穴１３の左右方向の右位置に設けて、引掛け穴１３と赤外発光ダイオードを左右横方向に配置しているので、引掛け穴１３で赤外発光ダイオード１６の信号送信を邪魔することがなく、また、スペースを有効に使用しているので、引掛け穴１３のために遠隔操作装置本体３の上下寸法が大きくなり過ぎることがないようにできる効果もある。
【００２０】
また、引掛け穴１３を設けることにより、この例では引掛け穴１３の部分は貫通部分の周囲壁部分１３ａなどによりケース５が強固になり、引掛け穴１３の横に設けた赤外発光ダイオード１６の保護や引掛け穴１３付近の配線基板９の保護ができるという効果もあり、赤外発光ダイオード１６の故障防止や配線基板９の故障が防止されて、遠隔操作装置本体３の信頼性を向上できるという効果もある。また、この例では引掛け穴１３の周囲壁部分１３ａのケース５内側の形状と、配線基板９の一部の形状を合わせて、周囲壁部分１３ａでケース５内の配線基板９の位置を決めている。また、この例では引掛け穴１３の貫通部分を斜面部１３ｂと周囲壁部１３ａとで一連に形成しているので、壁掛け用フック４の引掛部分４ｂが容易に案内されて入り込み、引掛けやすいものである。
【００２１】
なお、上記の例では引掛け穴１３の右横に赤外発光ダイオード１６を配置したものを示したが、赤外発光ダイオード１６を引掛け穴１３の左横に配置してもよく、上記の例と同様の効果を奏する。また、上記の例では引掛け穴１３を略長方形状とし、その上辺に凹部１４を形成したものを示したが、引掛け穴は左右方向へ広い形状であればこれに限定されるものでなく、各辺が若干湾曲形状であるなどでもよく上記の例と同様の効果を奏する。
【００２２】
このように、この上記の例によれば、遠隔操作装置本体３の外殻を形成するケース５と、ケース５に設けられ壁２に固定された引掛け手段４（壁掛け用フック）に引掛け可能な引掛け穴１３と、を備え、引掛け穴１３は遠隔操作装置本体３の操作面３ａ側から見ることができる貫通した穴としたので、遠隔操作装置本体３の壁２への取り付けのために、専用部品が不用で安価にでき、また、壁２への取り付け取り外しが容易になるという効果がある。また、引掛け穴１３を遠隔操作装置本体３の上部に設け、引掛け穴１３を引掛け手段４（壁掛け用フック）へ引掛けた時に操作信号を送信する信号送信口が上方を向くようにしたので、壁に掛けた状態で空気調和機１に信号を送信でき、操作性がよく、また、タイマー運転などの自動運転の場合にもきめ細かく空気調和機１の運転が可能にできる効果がある。
【００２３】
また、引掛け穴１３の右横もしくは左横に操作信号を送信する信号送信部１６（赤外発光ダイオード）を設けたので、引掛け穴１３があっても邪魔にならずに上方へ信号を送信することが可能で、遠隔操作装置本体３を壁２に掛けた状態で空気調和機１に信号を送信できて操作性がよく、また、タイマー運転などの自動運転の場合にもきめ細かく空気調和機１の運転が可能にできる効果があり、さらに、赤外発光ダイオード１６の横に引掛け穴１３を設けてスペースを有効に使用しているので、引掛け穴１３のために遠隔操作装置本体３の上下寸法が大きくなり過ぎることがないようにできる効果もある。また、引掛け穴１３を左右へ広い形状に設けるとともに、引掛け穴１３の上辺のほぼ中央に引掛け手段４（壁掛け用フック）が入る凹部１４を形成したので、引掛け穴１３の左右どの位置からでも壁掛け用フック４に入れやすく、また、凹部１４で壁掛け用フック４の掛ける位置も容易に決まるので、遠隔操作装置本体３が引掛けやすいという効果もある。
【００２４】
また、上記の例ではケース５を表側ケース５ａと裏側ケース５ｂに分割して簡単に構成できるものを示したが、遠隔操作装置本体３の形状などによっては分割構成や材料などもこれに限定されるものでなく、また、モールド成型などのようなものであってもよく、適宜効果を有する範囲で変えることができる。また、上記の例では壁掛け用フック４を市販のものを示したが、空気調和機１の付属品として添付してもよい。また、上記の例では遠隔操作装置本体３を壁２面に掛けて取り付けるものを示したが、部屋の柱など都合のよい位置に掛けるものであってもよい。また、上記の例では壁２の上部に取り付ける種類の空気調和機１を示したが、天井に取り付ける種類の空気調和機など、他の種類のものでもよい。
【００２５】
次にこの発明を実施するための実施の形態１における空気調和機の遠隔操作装置の他の例を説明する。上記の例では、引掛け穴１３を略長方形状として、その上辺に凹部１４を形成したものを示したが、丸形状や三角形状の穴であってもよく、穴形状により遠隔操作装置本体３の上下寸法が若干長くなり、大きくなる可能性はあるもののその他は上記の例と同様の効果を奏する。図８は、この発明を実施するための実施の形態１における空気調和機の遠隔操作装置の他の例を示す遠隔操作装置本体の上部の要部正面図である。なお、上記の例と同一又は相当部分には同一符号を付し、詳細な説明は省略する。また、記載以外の構造と動作は上記の例と同じである。図８に示すように、三角形状の引掛け穴１３としたもので、その角の一つを上方に配置すればその部分に壁掛け用フック４が掛かるようになって遠隔操作装置本体３を壁２に掛けた際の左右位置が容易に決まるようにすることもできる。
【００２６】
次にこの発明を実施するための実施の形態１における空気調和機の遠隔操作装置の別の例を説明する。図９〜図１１はこの発明を実施するための実施の形態１における空気調和機の遠隔操作装置の別の例を示す図で、図９は四面図で（ａ）は正面図，（ｂ）は右側面図，（ｃ）は背面図，（ｄ）は上面図、図１０は壁に掛けて取り付けた状態の左側面図、図１１は電池蓋のスライド動作を説明する背面図で（ａ）は電池蓋を収納した状態の背面図，（ｂ）は電池蓋を引出して電池交換できる状態の背面図である。なお、上記の例と同一又は相当部分には同一符号を付し、詳細な説明は省略する。また、記載以外の構造と動作は上記の例と同じである。上記の例では引掛け穴１３をケース５に直接貫通させて専用の部品を設ける必要をなくしたものを示したが、図９〜図１１に示すように電池蓋１１に引掛け穴１３を設ける構成にしてもよい。
【００２７】
図９〜１１において、電池蓋１１は壁掛け用フック４への引掛け穴１３を兼ねたもので、略Ｔ字形状の上部に引掛け穴１３を開設し、裏側ケース５ｂに上下方向へスライド可能に設けられていて、引掛け穴１３を使用しないように電池蓋１１を一番下まで押し込んだ状態と、引掛け穴１３を使用するために上方へ一段階引出した状態と、さらに電池蓋１１を上方に引出して電池１０を露出させて電池１０の交換ができる二段階引出した状態にスライドできるようにしている。なお、詳細な説明は省略するが、電池蓋１１側が凸で裏側ケース５ｂ側が凹等の係止機構１８ａ〜１８ｃにより、この各引出し状態の位置で電池蓋１１と裏側ケース５ｂが係止され、使用者が強めに電池蓋１１引いたり押したりしなければスライドして移動しないようにしている。
【００２８】
そして、引掛け穴１３が遠隔操作装置本体３の裏側に隠れて操作面３ａ側からは見えない図１１（ａ）の位置から、引掛け穴１３を使用する時には、係止機構１８ａから係止機構１８ｂの位置へ電池蓋１１を一段階引き出すと、図９と図１０に示すように引掛け穴１３が遠隔操作装置本体３の操作面側３ａから覗く位置で係止固定され、その引掛け穴１３により上記の例と同様に遠隔操作装置本体３の操作面３ａ側から引掛け穴１３を見ながら壁掛け用フック４に容易に掛けたり外したりの着脱ができ、また、電池蓋１１はもとから有る部品のため、引掛けるための専用部品も不要で安価なものが上記の例と同様に得られる。なお、この一段階引出した位置では電池蓋１１が電池１０をまだ露出させないように覆った位置にしている。そして、電池１０の交換を行う場合は、引掛け穴１３を兼ねた電池蓋１１をさらに上方へ二段階の位置に引出すと、図１１（ｂ）に示すように係止機構１８ｃの位置へ止まり電池１０が露出し電池交換が可能となる。
【００２９】
このようにしても元々ある電池蓋１１を利用して引掛け穴１３を備えるようにしたので、専用の部品を設ける必要がなく安価に壁掛け用フック４への着脱が容易なものが得られまた、使用しない時は引掛け穴１３を見えないように隠すことができるので、見た目もよく、さらに遠隔操作装置本体３からの飛び出し部分がなく、手に持った時の操作が行いやすいものが得られるという効果がある。
【００３０】
この図９〜１１に基づく例によれば、遠隔操作装置本体３の操作面３ａ側から見ることが可能な電池蓋１１と、電池蓋１１に設けられ壁２に固定された引掛け手段４（壁掛け用フック）に引掛け可能な引掛け穴１３と、を備え、引掛け穴１３は操作面３ａ側から見ることができる貫通した穴にしたので、遠隔操作装置本体３の壁２への取り付けのために、専用部品が不用で安価にでき、また、壁２への取り付け取り外しが容易になるという効果がある。また、電池蓋１１を遠隔操作装置本体３の外殻を形成するケース５にスライド可能に設け、引掛け穴１３を操作面３ａ側から見える位置と操作面３ａ側から見えない位置にスライド可能にしたので、引掛け穴１３を使用しない時に遠隔操作装置本体３から飛び出した部分がなく、遠隔操作装置本体３の見た目がよく、また、操作が行いやすいものが得られる効果がある。
【００３１】
この発明の空気調和機の遠隔操作装置は、遠隔操作装置本体３の外殻を形成するケース５と、ケース５に設けられ壁２に固定された引掛け手段４（壁掛け用フック）に引掛け可能な引掛け穴１３と、を備え、引掛け穴１３は遠隔操作装置本体３の操作面３ａ側から見ることができる貫通した穴にしたので、空気調和機の遠隔操作装置（遠隔操作装置本体３）の壁２への取り付けのために、専用部品が不用で安価にでき、また、壁２への取り付け取り外しが容易な空気調和機の遠隔操作装置を得られる効果がある。
【００３２】
また、さらに、引掛け穴１３を遠隔操作装置本体３の上部に設け、引掛け穴１３を引掛け手段４（壁掛け用フック）へ引掛けた時に操作信号を送信する信号送信口１５が上方を向くようにしたので、壁２に掛けた状態で空気調和機１に信号を送信可能で、操作性がよい空気調和機の遠隔操作装置を得られる効果がある。
【００３３】
また、さらに、引掛け穴１３の右横もしくは左横に操作信号を送信する信号送信部１６を設けたので、上方へ信号を送信することが可能で、壁２に掛けた状態で空気調和機１に信号を可能で、操作性がよく、また、引掛け穴１３のために遠隔操作装置本体３の上下寸法が大きくなり過ぎることがないようにできる空気調和機の遠隔操作装置を得られる効果がある。
【００３４】
また、さらに、引掛け穴１３を左右へ広い形状に設けるとともに、引掛け穴１３の上辺のほぼ中央に引掛け手段４（壁掛け用フック）が入る凹部１４を形成したので、引掛け手段４（壁掛け用フック）へ遠隔操作装置本体３が引掛けやすい空気調和機の遠隔操作装置を得られる効果がある。
【００３５】
また、この発明の空気調和機の遠隔操作装置は、遠隔操作装置本体３の操作面３ａ側から見ることが可能な電池蓋１１と、電池蓋１１に設けられ壁２に固定された引掛け手段４（壁掛け用フック）に引掛け可能な引掛け穴１３と、を備え、引掛け穴１３は操作面３ａ側から見ることができる貫通した穴にしたので、遠隔操作装置本体３の壁２への取り付けのために、専用部品が不用で安価にでき、また、壁２への取り付け取り外しが容易な空気調和機の遠隔操作装置を得られる効果がある。
【００３６】
また、さらに、電池蓋１１を遠隔操作装置本体３の外殻を形成するケース５にスライド可能に設け、引掛け穴１３を操作面３ａ側から見える位置と操作面３ａ側から見えない位置にスライド可能にしたので、引掛け穴１３を使用しない時の遠隔操作装置本体３の操作が行いやすい空気調和機の遠隔操作装置を得られる効果がある。
【図面の簡単な説明】
【００３７】
【図１】この発明の実施の形態１を示す空気調和機の遠隔操作装置を部屋に取り付けた状態の斜視図である。
【図２】この発明の実施の形態１を示す空気調和機の遠隔操作装置の四面図で（ａ）は正面図，（ｂ）は右側面図，（ｃ）は背面図，（ｄ）は上面図である。
【図３】この発明の実施の形態１を示す空気調和機の遠隔操作装置を壁に掛けて取り付けた状態の左側面図である。
【図４】この発明の実施の形態１を示す空気調和機の遠隔操作装置の裏側ケースを取り外した状態の引掛け穴部分の要部背面図である。
【図５】この発明の実施の形態１を示す空気調和機の遠隔操作装置を掛けて取り付けた状態の引掛け穴部分の要部正面図である。
【図６】この発明の実施の形態１を示す図５のＶＩ−ＶＩ線の拡大断面図である。
【図７】この発明の実施の形態１を示す図６に相等する引掛け手段が無い状態の拡大断面図である。
【図８】この発明の実施の形態１の他の例を示す空気調和機の遠隔操作装置の上部の要部正面図である。
【図９】この発明の実施の形態１の別の例を示す空気調和機の遠隔操作装置の四面図で（ａ）は正面図，（ｂ）は右側面図，（ｃ）は背面図，（ｄ）は上面図である。
【図１０】この発明の実施の形態１の別の例を示す空気調和機の遠隔操作装置を壁に掛けて取り付けた状態の左側面図である。
【図１１】この発明の実施の形態１の別の例を示す空気調和機の遠隔操作装置の電池蓋のスライド動作を説明する背面図で（ａ）は電池蓋を収納した状態の背面図，（ｂ）は電池蓋を引出して電池交換できる状態の背面図である。
【符号の説明】
【００３８】
１  空気調和機、２  壁、３  空気調和機の遠隔操作装置（遠隔操作装置本体）、３ａ  操作面、４  引掛け手段（壁掛用フック）、４ａ  貼付部分、４ｂ  引掛部分、５  ケース、５ａ  表側ケース、５ｂ  裏側ケース、６  液晶部品、７  操作スイッチ、８  銘板、９  配線基板、１０  電池、１１  電池蓋、１２  ネジ、１３  引掛け穴、１３ａ  周囲壁部、１３ｂ  斜面部、１４  凹部、１５  信号送信口、１６  信号送信部（赤外発光ダイオード）、１８ａ〜１８ｃ  係止機構。
【図１】
2005188777.tif 000003
【図２】
2005188777.tif 000004
【図３】
2005188777.tif 000005
【図４】
2005188777.tif 000006
【図５】
2005188777.tif 000007
【図６】
2005188777.tif 000008
【図７】
2005188777.tif 000009
【図８】
2005188777.tif 000010
【図９】
2005188777.tif 000011
【図１０】
2005188777.tif 000012
【図１１】
2005188777.tif 000013